Podtech/llm-jp-corpus-v4-ja_patent huggingface dataset:
(57)【要約】【課題】棚板等の壁面への取り付けは、多くの場合は壁面と棚板面にエル字型の金具をそれぞれに木ネジで固定し金具を介して造営物への固定をしていた。【解決手段】本発明は、壁面への固定部品のみをネジ等による固定をして、棚板にはネジ等を使用せずに本発明を利用して棚板を保持できる。また棚板の材質による厚さにも対応でき棚板にもキズを付けることなく使用できる。さらに、挟み込む方式の利点として水平面での衝立状の板部材を保持したり、床や天井面に利用して板状の物を保持する保持具としても有効であり簡単に板状部材の着脱ができる保持具を提供せんとするものである。【選択図】図１
2006102424.tif 000002
【特許請求の範囲】
【請求項１】
本体の内部に上下方向に摺動する可動部と壁面などの造営物に固定する部位とから構成された構造物である。本体の下面より可動部に螺旋形状の部品を挿入して、回転させる事で可動部の螺旋形状部分と摺動部位が協同して可動部を上下方向へ動かし任意の所で停止せしめる構造を有する。また、本体の上面方向からも螺旋形状の部品を挿入し回転させて可動部を上下させ摺動部位と協同して可動部を上下方向へ動かし任意の位置で停止させる事で本体の接地面と可動部位の接地面の空隙を簡易に調節し挿入される棚板などの保持物を固定保持する事ができる保持具。
【請求項２】
請求項１の記載において、可動部への螺旋形状の部品を挿入する方向が下面からの挿入で可動部接地面と本体接地面との空隙を調節して棚板等を保持し固定する保持具。図８に示す。
【請求項３】
請求項１の記載において、可動部への螺旋形状の部品を挿入する方向が上面からの挿入で可動部接地面と本体接地面との空隙を調節して棚板等を保持し固定する保持具。図９に示す。
【発明の詳細な説明】
【産業上の利用分野】
【０００１】本発明は、棚板状の物を壁面などに固定する際に壁と本保持具を固定した後に棚板を簡単に固定でき、棚板の厚みを可動部接地面と本体接地面の空隙で調節できる範囲の厚さであれば薄い物から厚い物まで使用できる。
【背景技術】
【０００２】棚板を壁に取り付ける際にはエル字形状の受け具を用いるか、取り付ける棚板が小さい面積であれば、棚板の厚さに合わせた金具でくわえ込み固定する方法が取られていた。この場合は、棚板の厚さに適応した部材が必要であり、また大きな面積での使用には限界がある。
【課題を解決するための手段】
【０００３】本発明は、棚板の厚さを想定して挟み込む構造の保持具形状で挟み込む可動部接地面と本体接地面の空隙を簡単に調整でき、挟み込む際にはその保持力で強力に固定する構造を有している。可動部は、螺旋形状の構造を有して本体の下面から可動部を調節し固定する螺旋形状を有した挿入部品で任意の厚さの棚板をくわえ込み強力に締め付けて棚板を保持する。また、挿入面は上からもできる。
【発明の効果】
【０００４】本発明により、棚板の厚さが薄い物から厚い物まで同じ形状の保持金具で固定する事ができ、くわえ込みだけではなく、挟みこみ締め付けることでより強固に棚板を保持することができる。また、使用の面を床面等の水平面や天井面などに使用して板状の物を保持することも可能である。これは、パーテーションや衝立、サイン看板などを保持することにも、利用できる。
【発明を実施するための最良の形態】
【０００５】本発明は、ガラス棚のように厚さの薄い物から木製棚のように厚さの厚い物まで同様に使用して棚板を壁面に固定できる。その為には軽量な樹脂製から頑丈な金属製まで本体の強度を考慮して生産でき、締め付け構造のため安全に棚板を壁に固定できる。
【実施例】
【０００６】図面は本発明の保持具の一実施例を示したもので、図１は本発明の保持具を表した斜視図、図２は正面図、図３は背面図、図４は平面図、図５は底面図、図６は左側面図で、図７は断面図である。図８は請求項２の断面を示す。図９は請求項３の断面を示す。図中１は本体固定部を示し、２は本体化粧部を示す。３は可動部品、４は本体接地面を示し、５は可動部接地面を示す。また６は螺旋形状の挿入部品を示す。７は可動部の化粧部を示す。８は本体固定部品の上用を示す。９は上用可動部品を示す。１０は請求項２の可動部品を示す。この実施例の可動部位は上下に螺旋形状の加工を有した部位があり、その加工部位に６の締め付け用螺旋形状の部品で可動部を調節して棚板を締め付け４と５の接地面で押圧を棚板材に与える。
【産業上の利用可能性】
【０００７】本発明は、板状の物を保持する目的に利用でき板の接地面に目的物を止着させる機能を付加させれば産業上の利用として、パーテーションの固定保持具、カウンター等の天板面及び天井面へのサイン板の保持具などに可能性がある。
【図面の簡単な説明】
【０００８】
【図１】本発明による保持具の斜視図
【図２】保持具の正面図と参考図で可動部品の最大可動状態
【図３】保持具の背面図と参考図で可動部品の最大可動状態
【図４】保持具の平面図
【図５】保持具の底面図
【図６】保持具の左側面図と参考図で可動部品の最大可動状態
【図７】保持具の断面図
【図８】保持具の断面図
【図９】保持具の断面図
【符号の説明】
【０００９】１        本体固定部
２        本体化粧部
３        可動部
４        本体接地面部材
５        可動部接地面部材
６        螺旋形状締め付け部品
７        可動部の化粧部
８        本体固定部品の上挿入用
９        可動部品の上挿入用
１０      可動部品の上部一体型
【図１】
2006102424.tif 000003
【図２】
2006102424.tif 000004
【図３】
2006102424.tif 000005
【図４】
2006102424.tif 000006
【図５】
2006102424.tif 000007
【図６】
2006102424.tif 000008
【図７】
2006102424.tif 000009
【図８】
2006102424.tif 000010
【図９】
2006102424.tif 000011
(57)【要約】      （修正有）【課題】光を遮るための折タタミ出来る安眠ヘッドルーフを提供する。【解決手段】スタンド５に支柱４を立てその頭部の軸１にアーム２を取りつけそこに板３を取り付け布カバー６をかぶせ光を遮ることを特長とする安眠ヘッドルーフ。【選択図】図３
2006102416.tif 000002
【特許請求の範囲】
【請求項１】
スタンドにアームを取りつけその先に光を遮るために四角形の板に布カバーを取り付け折タタミ出来るようにしたことを特長とする安眠ヘッドルーフ。
【発明の詳細な説明】
【技術分野】
【０００１】  本発明は、スタンドに光を遮る布を取り付けた安眠に関するものである。
【背景技術】
【０００２】  従来、箱形のかまくら状の物はあった。また目的が同じ物としてアイマスク等の直接顔に当てる物もあった。
【発明の開示】
【発明が解決しようとする課題】
【０００３】  そのために次のような問題点があった。
（イ）箱形のため息苦しく使わない時じゃまになっていた。またアイマスクは直接肌に触れるため肌に跡がついたり化粧が取れたりした。本発明品はこれらの問題点を解決するためになされたものである。
【課題を解決するための手段】
【０００４】  スタンドにアームを取りつけその先に四角形の板を取り付けた所に光を遮るための布をかぶせ使用時は水平に未使用時は垂直になるようにした折タタミ式安眠ヘッドルーフである。
【発明の効果】
【０００５】  従来病室や老人ホームなどで多人数の所では自分が眠くても周りが明るいためタオルで目を覆ったりアイマスク等で光を遮っていた。これがあれば他人に迷惑をかけることもなく自分の好きな時に広げるだけで安眠できる。
海水浴など屋外でも使えサングラス等の部分日焼けの心配もなく使用できる。開閉自在のため場所も取らず、持ち運びも簡単であり屋内外で使用できる。
【発明を実施するための最良の形態】
【０００６】  以下、本発明の実施の形態について説明する。
（イ）（５）スタンドに（４）支柱を立てその頭部の（１）軸に（２）アームを取り付ける。
（ロ）（２）アームの先に（３）四角形の板を取り付ける
（ハ）（３）四角形の板に（６）布カバーをかぶせる。
（ニ）（６）布カバーの表側にメガネや小物を入れる様に（７）ポケットを付ける。
（ホ）使用時は水平に未使用時は倒して垂直にする。
【図面の簡単な説明】
【０００７】
【図１】  本発明の正面図
【図２】  本発明の側面図
【図３】  本発明の実施例を示す斜視図
【符号の説明】
【０００８】      １  軸
２  アーム
３  板
４  支柱
５  スタンド
６  布カバー
７  ポケット
【図１】
2006102416.tif 000003
【図２】
2006102416.tif 000004
【図３】
2006102416.tif 000005
(57)【要約】【課題】  お年寄りや女性でも簡単に扱える筋力アップのトレーニング用具を提供する。【解決手段】  腕立て伏せをする際も床に手を着かず軽い力でする事が出来、足の筋や筋力アップも楽に出来るようにした折り畳み式トレーニング用具である。【選択図】  図１
2006102418.tif 000002
【特許請求の範囲】
【請求項１】
腕立て伏せをする際床に手を着かなくても良いよう上部を手で握れるように持ち手を設け、足の筋力アップの目的で片足を掛ける横棒を設けた筋力トレーニング用具。
【発明の詳細な説明】
【技術分野】
【０００１】  本発明は、腕や足の筋力や大腰筋を鍛えるための折り畳み式筋力アップトレーニング用具である。
【背景技術】
【０００２】  女性や中年以降のお年寄りでも簡単な筋力アップが必要だが、現在発売されている筋力アップ用具は金属製で重量の重い物が殆どである。
【発明の開示】
【発明が解決しようとする課題】
【０００３】  そのため次のような問題点があった。
用具をセットしたり移動するにはかなりの力が必要で、女性や中年以降のお年寄りにはとても扱いずらいものであった。
本発明は、以上の問題点を解決するためになされたものである。
【課題を解決するための手段】
【０００４】  腕立て伏せをする際角度を付けた上部を握るようにし、足の筋や筋力を強めるために足を掛ける部分を設けた折り畳み式筋力アップトレーニング用具である。
【発明の効果】
【０００５】  折り畳み式のため部屋の隅に立てかけて置けるので場所をとらずじゃまにならない。
なお腕立て伏せをするにも床に手を付いてするには力が必要だが本発明は角度を付け上部を握るため弱い力の女性やお年寄りでも簡単にする事が出来る。
又、中間に取り付けた横棒部分に足を掛け力を入れる事で太ももの筋肉や足の筋を簡単に強くすることが出来る筋力トレーニング用具である。
【発明を実施するための最良の形態】
【０００６】  以下、本発明の実施の形態を説明する。
（イ）台座（４）に体重を支える支柱（１）を設ける。
（ロ）支柱（１）に（２Ａ）（２Ｂ）と（３Ａ）（３Ｂ）の横棒を設ける。
（ハ）体重を支える支柱（１）が前に倒れないよう中程に斜めに支柱（５）を設ける。
本発明は、以上の構成によりなっている。
本発明を使用するときは、台座（４）に立ち横棒（２Ａ）及び（２Ｂ）を両手で握り腕立て伏せをする。
足の筋力トレーニングをする場合は、横棒（３Ａ）又は（３Ｂ）に片足を交互に掛けて前方に向けて足に力をいれる。
【図面の簡単な説明】
【０００７】
【図１】本発明の斜視図
【図２】本体を折り畳んだ状態図
【符号の説明】
【０００８】    １    体重を支える支柱
２Ａ  腕立て伏せをする際、右手掌で握る部分
２Ｂ  腕立て伏せをする際、左手掌で握る部分
３Ａ  足の筋力トレーニングをする際足を掛ける部分（高）
３Ｂ  足の筋力トレーニングをする際足を掛ける部分（低）
４    立つ為に足を乗せる台座
５    体重によって支柱（１）が倒れないよう支える支柱
【図１】
2006102418.tif 000003
【図２】
2006102418.tif 000004
(57)【要約】      （修正有）【課題】指輪用の指サイズの計測を簡単にする。【解決手段】携帯ストラップの輪状の帯部分にスナップボタンを付けることで、これを外したときに輪状から一本の帯に解ける仕組みにし、ここにゲージメモリを施した。これによりサイズゲージを携帯し易くなり、多様な場所における指輪用の指サイズの測定を可能にした。【選択図】図２
2006102412.tif 000002
【特許請求の範囲】
【請求項１】
携帯トラップの帯部分にメモリを施し、指輪用の指サイズの測定を可能にした携帯ストラップ。
【発明の詳細な説明】
【特許の詳細な説明】
【技術分野】
【０００１】  本発明はサイズゲージを携帯し易くすることにより、多様な場所における指輪用の指サイズの測定を可能にするものである。
【背景技術】
【０００２】  従来は主に業務用で、個人が所有したりすることは難しく、サイズを測るにはおおよそ店頭に行くケースが多かった。
【発明が解決しようとする課題】
【０００３】  インターネットなどによる指輪の通信販売において、指のサイズの計測に曖昧なところがあり、購入後にサイズの修正を要するケースが増えている。そこで予めより精密な計測をあらゆる場所で可能にするべく本発明がなされた。
【課題を解決するための手段】
【０００４】  携帯ストラップの輪状の帯部分にスナップボタンを付けることで、これを外したときに輪状から一本の帯に解ける仕組みにし、ここにゲージメモリを施した。
【発明を実施するための最良の形態】
【０００５】以下、本発明の実施の形態について説明する。
（イ）．携帯ストラップの輪状の帯部分にスナップボタンを付けることで、これを外したときに輪状から一本の帯状に解ける仕組みにし、ここにゲージメモリを施す。尚ゲージメモリを施す面は表・裏を問わない。
【発明の効果】
【０００６】  一本の帯状に解いたゲージメモリ印刷部分を測りたい指に巻きつけ、指輪用の指サイズを計測することが出来た。
【図面の簡単な説明】
【図１】  一本の帯状に解き、ゲージメモリを施したことを示す平面図である。
【図２】  携帯ストラップとして輪状に閉じ、スナップボタンを留めたことを示す平面図である。
【図３】  スナップボタン部を示した平面図である。
【符号の説明】
１  帯
２  ゲージメモリ
３  スナップボタン
【図１】
2006102412.tif 000003
【図２】
2006102412.tif 000004
【図３】
2006102412.tif 000005
(57)【要約】      （修正有）【課題】標準的な傘が伸びて自転車に取り付けられるものを提供する。【解決手段】頑丈な傘を作り（布、骨、等）、軸棒パイプは直径３センチぐらいにし、中にもう一本標準の人用で約５０センチの軸棒パイプを入れ（当然やや細いもの）、伸縮できるようにした。それを安定性、安定感の必要性から、できれば、ハンドルより下、ハンドルを支える軸パイプの位置に取り付けた小さな筒パイプに差し込むようにしたことを特徴とする。【選択図】図２
2006102413.tif 000002
【特許請求の範囲】
【請求項１】
標準サイズの傘を頑丈なものにし、軸棒を直径３センチぐらい太くし（自転車本体のパイプに匹敵するぐらい）、中にもう一本５０センチ程度の軸棒を入れて伸縮できるようにする。そして伸ばしたものを車体に取り付けた筒状のものに差し込んで、雨をしのげるようにした傘と筒状のもの。
【発明の詳細な説明】
【発明の詳細な説明】
【技術分野】
【０００１】この発明は、軸棒を太く頑丈なものにし、中に長さ約５０センチの軸棒を入れて、伸縮できるようにした傘とそれを車体で支える筒状のものに関するものである。
【背景技術】
【０００２】従来は、このてのものは傘のほうは、あまり変えなかったと思われる。
【発明が解決しようとする課題】
【０００３】一般的な傘を自転車に取り付けても、どうしても不安定感があり、しかし風雨の日の通勤通学、子供を乗せた母などの傘をさしての片手運転の危険さは見過ごすわけにはいかない。片手に傘を持ち、同時に耳に携帯電話というのもよく見かける。片手で傘をさすのはこういった方々には止めてもらいたい。
本発明は、以上の理由から考案した。
【課題を解決するための手段】
【０００４】傘を頑丈にし、軸棒も直径３センチぐらいの太い筒パイプにし、中に５０センチ程度の筒パイプを入れ伸縮可能にし、伸ばして普通の自転車におけるハンドルより下の位置、ハンドルを支えるパイプに筒状のものを取り付けて差し込む。頑丈さと低い位置で支える安定性、安定感が得られる。
本発明は、以上の構成よりなる自転車用伸びる頑丈な傘およびそれを支える筒である。
【発明を実施するための最良の形態】
【０００５】以下、本発明の実施の形態について説明する。
傘そのものを少々の風雨にも耐えられるくらい頑丈にし、軸棒の筒パイプも３センチぐらいに太くし、中にもう一本パイプを入れ、伸縮できるようにする。使用するときは、中のパイプを伸ばして長くし、それをハンドルを支える軸パイプに取り付けた筒に差し込んで固定する。
【発明の効果】
【０００６】なによりも頑丈で安定感があり、風雨の日に片手運転をしなくてもよくなり、交通の危険性は激減する。
【図面の簡単な説明】
【図１】本発明の傘の断面図である。
【図２】傘、支える筒、自転車の関連図である。
【図１】
2006102413.tif 000003
【図２】
2006102413.tif 000004
【手続補正書】
【提出日】平成16年12月12日(2004.12.12)
【手続補正１】
【補正対象書類名】特許請求の範囲
【補正対象項目名】請求項１
【補正方法】変更
【補正の内容】
【請求項１】
標準の傘を頑丈なものにし、軸棒を直径３センチぐらい太くし（自転車本体のパイプに匹敵するぐらい）、中にもう１本５０センチ程度の軸棒を入れて伸縮できるようにする。（勿論折りたたみ傘にあるように、外側が軸棒になる普通のスタイルのほうが良いが）そしてその伸ばした傘を車体に取り付けた筒状のものに差し込んで（方法はいくつかあるが、簡単に一瞬で取り付けられるのが良いのでさし当たって、これが一番はやいと思われる）雨をしのげるようにした傘と筒状のもの。
(57)【要約】      （修正有）【課題】冷蔵庫のどこにでも立てても寝かしても置く事ができ、容器自体を分離させることで中を簡単に洗浄でき、中に網を設けることによって冷蔵庫でそのまま水だ視できる水だし茶注出容器を提供する。【解決手段】容器の形態をペットボトル型にし、パッキングを設けて開口部を設けることによってまた開口部に突起物を設け網で仕切ることにより、容器の洗浄が簡単になりまた網で茶葉の流出を防ぐため茶葉を入れたまま使用でき、もっとも不便だった収納場所もパッキングを設けることにより容器を寝かせて使用でき使い勝手もよい。【選択図】図１
2006102414.tif 000002
【特許請求の範囲】
【請求項１】
収納自由自在ペットボトル型水出し茶抽出容器
【請求項２】
容器本体に網を設け水だし茶を入れたまま使用でき、また容器が二つに分かれ簡単に中を洗浄することが出来、形状をペットボトル型にしたことで寝かせても使用できることを特徴とする水だし茶抽出容器
【発明の詳細な説明】
【技術分野】
【０００１】本発明は、一般家庭の簡易化と利便性を図った水だし茶抽出容器に関する
【背景技術】
【０００２】水だし茶を作る場合、通常はやかんで水だししそれを麦茶用ガラスポットまたはペットボトルなどに移して冷蔵庫のドアポケットにたてて使用した
【発明の開示】
【発明が解決しようとする課題】
【０００３】従来のポットやペットボトルで麦茶などを保存していると茶系特有の汚れが付着し、特にペットボトルでは中が簡単に洗浄することが出来ず不衛生であった。また従来のポットでは冷却する際冷蔵庫のドアポケットに立てかけて収納することが常であったが、ドアポケットは牛乳やジュースなど通常開封したら横にし収納することが困難な製品等で場所がとりづらく不便であった。また水だし茶を作る際ペットボトルで保存する場合一度やかん等で茶の成分を抽出し、再度抽出した茶をペットボトル等に移し変えなければならず手間がかかった。【０００４】本発明は、このような従来の構造が有していた問題を解決しようとしたものであり，冷蔵庫のどこにでも立てても寝かしても置くことが出来容器自体を分離させることで中を簡単に洗浄することが出来  中に編みを設けることによって冷蔵庫でそのまま水だし出来る事を目的とするものである
【課題を解決するための手段】
【０００５】本発明は、上記目的を達成するため容器を分離させ開口部分にゴムパッキンを設けたものである【０００６】また第二の課題手段はペットボトル型にした構造としたものである【０００７】また、第三の課題は容器の開口部分に網を設ける構造にしたものである【０００８】上記第一の課題手段による作用は次の通りである。すなわち容器を分離させることで容易に容器の隅々まで洗浄することが出来る【０００９】また、第二の課題手段による作用は形状をペットボトル型にし、開口部にゴムパッキンを設けたことで冷蔵庫の庫内の至る所に立てても横にしても積み重ねても収納することが出来る。【００１０】また、第三の課題解決手段による作用は、開口部分に網を設けることで水だし茶を冷蔵庫で冷却しながら、手間がかかる事なく、茶の成分を抽出する事が出来る。【００１１】上術したように本発明のペットボトル型水出し茶抽出容器は衛生的に、かつ簡単に収納場所に困る事なく、水出し茶を抽出する事が出来る容器である。
【発明を実施するための最良の形態】
【００１２】以下、本発明の実施の形態を図１〜図４に基づいて説明する。【００１３】図においては、１は水出し茶抽出容器の全容である。【００１４】２は、開口部分の網の部分である。これによって、茶葉を入れたまま、注水する事が出来る。【００１５】３は、開口部分のパッキングで、このパッキングを付ける事で容器をねかせても水漏れしないで収納できる。【００１６】４は、２においての網を容器に固定するための突起である。これによって、網が固定される事によってより使い易く、水出し抽出容器を使用する事が出来る。
【図面の簡単な説明】
【００１７】
【図１】本発明の実施形態を示す全体図
【図２】同、上方から見た断面図（網の部分）
【図３】同、側面から見た開口部分
【図４】同、側面からみた網の固定部分
【符号の説明】
【００１８】１、パッキング２、仕切り網３、仕切り網を固定する為の突起
【図１】
2006102414.tif 000003
【図２】
2006102414.tif 000004
【図３】
2006102414.tif 000005
【図４】
2006102414.tif 000006
(57)【要約】【課題】紐付き靴の足からの着脱を容易にするための補助具を提供する。【解決手段】蝶番部を介して主板と副板を折り畳み可能に設け、主板および副板適所に貫通孔を穿設し、主板適所に、折曲部を有する係止板を設けることにより、折り畳んだ副板が主板に対して係止および係止解除可能となるよう構成したことを特徴とする。【選択図】      図６
2006102415.tif 000002
【特許請求の範囲】
【請求項１】
蝶番部を介して主板と副板を折り畳み可能に設け、主板および副板適所に貫通孔を穿設し、主板適所に、係止機能を有する係止板を設けることにより、折り畳んだ副板が主板に対して係止および係止解除可能となるよう構成したことを特徴とする靴用補助具。
【発明の詳細な説明】
【技術分野】
【０００１】  この発明は、スニーカー等の紐付きの靴の着脱を容易にするための補助具に関する。
【背景技術】
【０００２】  従来より、必須の生活用具として靴が多用されているが、靴に関連する補助具としてはクツベラがあるのみで、本発明にて示すように靴に取り付けて用いる補助具は現在のところ見当たらない。
【発明の開示】
【発明が解決しようとする課題】
【０００３】  靴の中で近年多用されているものにスニーカーがある。
このスニーカーは靴ひもを用いて靴前部の締め具合を調節する運動靴であり、使用者の足にフィットさせて用いるものである。しかし、自分の足にフィットするように、靴ひもを結んだ状態の靴から足を抜き出そうとするとき、そのままでは困難であるため、靴ひもをほどいて靴の前部をゆるめるのが一般的である。そのため、靴を脱ぐときおよび履くときの双方の場合に靴ひも操作が要求され、手間と時間がかかるという問題があった。
本発明は、以上のような従来からの靴ひもを用いた靴、とりわけスニーカーに関わる課題を解決するために発明されたもので、靴の前部に取り付けることにより、スニーカーからの足の着脱に便利なる新規かつ有用なる補助具を提供することを目的としたものである。
【課題を解決するための手段】
【０００４】  課題を解決する手段として本発明は、折り畳み可能な板体に貫通孔と係止板を設けてその主要部を構成した。
すなわち、蝶番部を介して主板と副板を折り畳み可能に設け、主板および副板適所に貫通孔を穿設し、主板適所に、係止機能を有する係止板を設けることにより、折り畳んだ副板が主板に対して係止および係止解除可能となるよう構成する。
本発明は以上の構成よりなる靴用補助具である。
【発明の効果】
【０００５】  本発明によれば、靴前部に本発明補助具が靴ひもを介して位置しているので、靴ひもをほどいたり結び直すことなく、この補助具の開閉にて靴前部の締め具合を調節することができるので、靴の着脱を容易かつスムースに行うことのできる、有用なる物品を提供することができる。
【発明を実施するための最良の形態】
【０００６】  以下、本発明の実施形態について説明する。
図において、１は主板で、金属製小板体であり、その上下部近傍に適宜径の貫通孔２が穿設される。３は副板で、主板と同形同材質の小板体であり、主板同様に貫通孔が穿設されている。４は蝶番部で市販の蝶番と同様機構部分であり、、軸を内包し、主板および副板と一体の環状部分が軸にゆるく巻装され、この軸を中心に双方の板体が回動して板体全体として折り畳み可能に形成された部分である。
５は係止板で、金属製小薄板体を図に示すごとく折曲し、その一部は主板中央側部にリベット止めされる。この係止板は図１に示すように、主板側方に張り出す外折曲部６に続いて内折曲部７が位置し、この内折曲部に連続して舌片部８が一体に形成される。
なお、主板の貫通孔と副板の貫通孔は副板を折り畳んだ状態にて同位置となるよう設けられる。また、主板に対し副板を回動させて折り畳んだとき、内折曲部は副板端よりわずかに内側に位置するよう設けられる。【０００７】  本発明を使用するには、まず靴ひもを貫通孔に通して図５に示すように靴ひもを介して靴前部に本発明の補助具を位置させる。この状態で主板・副板は非折り畳み状態であり、靴前部はゆるめられているため、足の着脱が可能である。
次ぎに、靴に足を挿入した後に主板・副板を折り畳み状態にすると、靴ひもを内側に向けて引くこととなるため、靴前部は締まった状態となり、足に靴がフィットした状態、すなわち靴ひもを締めて結んだときと同等の状態となり、歩行や走行が可能となる。
靴を脱ぐときは、前述のように補助具の折り畳みを解除することにより、靴前部がゆるんで足を抜き出すことができる。
本発明品には係止板が設けられているが、これは主板に対して副板を折り畳み状態に保つためのものである。すなわち、主板に対し副板を回動させると副板端が内折曲部に接触するが、このう内折曲部は湾曲しているため、さらに力を加えることにより、内折曲部は少し外に押し広げられ、副板端はさらに主板に近づくが副板端が内折曲部から外れると、係止板はその弾性により元の位置に復帰する。この状態にて副板端は内折曲部内にて内折曲部よりやや外方に位置するので、図３に示すように主板に対する副板の位置が保持される。つまり、図６に示すように靴前部を締めた状態となるため、靴の使用が可能となる。
靴を脱ぐときは、前述と逆の操作にて図５のように靴前部をゆるめた状態となり、靴の着脱が可能となる。なお、図６では折り畳み状態の把握が容易となるよう、実際の使用状態より靴前部を広めにして表現している。【０００８】  本発明の内容については既述したが、本発明は靴ひも操作をせずに靴前部を締めたりゆるめたりすることができ、従来手段のように靴の着脱のたびに靴ひも操作をすることが不要なところにその特徴がある。
そのため、従来手段に比べて、靴の着脱に要する手間と時間が大幅に軽減されるものとなったのである。なお、既述の実施形態では金属小板体をもちいて各部を構成したが、合成樹脂など他の材料を用いて構成してもよい。また、二つの折曲部を有する係止板としたが、副板係止機能を有するものであれば他の形状の係止板としてもよい。
以上のごとく、本発明にて靴の着脱を容易とする有用なる補助具を得ることができる。
【図面の簡単な説明】
【０００９】
【図１】  本発明の平面図
【図２】  本発明の正面図
【図３】  本発明の平面図（折り畳み状態）
【図４】  本発明の正面図（折り畳み状態）
【図５】  本発明の使用状態図（非折り畳み状態）
【図６】  本発明の使用状態図（折り畳み状態）
【符号の説明】
【００１０】  １  主板
２  貫通孔
３  副板
４  蝶番部
５  係止板
６  外折曲部
７  内折曲部
８  舌片部
【図１】
2006102415.tif 000003
【図２】
2006102415.tif 000004
【図３】
2006102415.tif 000005
【図４】
2006102415.tif 000006
【図５】
2006102415.tif 000007
【図６】
2006102415.tif 000008
(57)【要約】【課題】    両脚・両膝を合わせた状態に帯で締め付ける状態にすることにより、姿勢を矯正する健康具を提供しようとする。【解決手段】伸縮性のある帯状の素材を長い帯（１）と短い帯（２）とに形成し、各々は帯の長さ方向の中央部に、膝裏あて部（４）を介して上下方向にここから延設するように平行に設け、かつ各々の端部には面ファスナーを設けることを特徴とする姿勢矯正健康具。【選択図】  図１
2006102420.tif 000002
【特許請求の範囲】
【請求項１】
伸縮性のある帯状の素材を長い帯と短い帯とに形成し、各々は帯の長さ方向の中央部に、膝裏あて部を介して上下方向にここから延設するように平行に設け、かつ各々の端部には面ファスナーを設けることを特徴とする姿勢矯正健康具。
【発明の詳細な説明】
【技術分野】
【０００１】本発明は、伸縮性の帯素材に面ファスナーをつけた健康具に関するものである。
【背景技術】
【０００２】従来、両大腿部を合わせるＯ（オー）脚矯正具があった。
【発明の開示】
【発明が解決しようとする課題】
【０００３】そのために、次のような問題点があった。
Ｏ（オー）脚の矯正だけのためであり、姿勢をただすものではなかった。
本発明は、この問題点を解決するためになされたものである。
【課題を解決するための手段】
【０００４】  伸縮性のある帯状素材を、長い帯と短い帯とに形成し、各々は、帯の長さ方向の中央部に膝裏あて部を介して，上下方向にここから延設するように平行に設け、かつ各々の端部には面ファスナーを設ける。
以上を特徴とする姿勢矯正健康具である。
【発明の効果】
【０００５】  両脚を２ヶ所合わせ固定することで、背筋が伸びやすく姿勢がよくなり、仕事・勉強の集中力が高まり、又長時間のバス・飛行機に乗っている間良い姿勢が保たれ、腰にかかる負担を軽減する。
【発明を実施するための最良の形態】
【０００６】以下、本発明の実施の形態について説明する。
（イ）長い帯（１）を膝上に、短い帯（２）を膝下に巻いて面ファスナーで装着する。
本発明は、以上の構成よりなっている。
本発明を使用するときは、両脚（膝上と膝下）に装着するが、伸縮性があるので強弱を調整することが必要で、装着すると背筋が伸びやすくなり姿勢がよくなる。
【図面の簡単な説明】
【０００７】
【図１】本発明の平面図
【図２】本発明の斜視図
【図３】本発明の使用状態を示す斜視図
【符号の説明】
【０００８】１長い帯
２短い帯
３面ファスナー
４膝裏あて部
【図１】
2006102420.tif 000003
【図２】
2006102420.tif 000004
【図３】
2006102420.tif 000005
(57)【要約】【課題】極力部品点数を少なく、単純化しながら確実に稼動する玩具用簡易リニアモータを構築する。【解決手段】固定子となる長尺板状のレイル内部に、ソレノイドコイルとリードスイッチを設置する。可動子には永久磁石を設置し、可動子、固定子双方の反発磁力のみで推力を発生させる。【選択図】      図１
2006102405.tif 000002
【特許請求の範囲】
【請求項１】
長尺板状のレイル底面に一定間隔毎に電磁石とリードスイッチを設置し、このレイル部位に永久磁石を設置した車を置くと反発磁力が発生し、推力を得て前進する玩具用簡易リニアモータ。
【発明の詳細な説明】
【技術分野】
【０００１】  本発明は、永久磁石と電磁石の反発磁力を用いた簡易線上動力装置（簡易リニアモータ）機構と、その具体的製造方法に属する。
【背景技術】
【０００２】  従来のリニアモータは、重量物の運搬を前提としたもので、その推力は慣性エネルギーを想定せず、固定子全範囲に電磁石、可動子支持用のローラ又はレイルを設けなければならない。例えばこの場合、レイル全面に電磁石を設置する必要があり、又、固定子との摩擦を軽減する為にレイル全面にローラを設置する必要がある。（例えば、特許文献１参照。）
又、一般的にリニアモータは工業用機構に用いられる事から、可動子の移動量（ステップ量）を検知、設定する場合が多く此の場合に於いても固定子移動領域全域に電磁石叉は永久磁石を設置する必要がある。（例えば、特許文献２、特許文献３、参照。）【０００３】
【特許文献１】特開昭５５−１３２２９５号公報
【特許文献２】特開昭６３−２０６１５３号公報
【特許文献３】特開昭６１−１９９４５７号公報
【発明の開示】
【発明が解決しようとする課題】
【０００４】  従来のリニアモータは、固定子、可動子間の磁力により吸引叉は反発、場合により両方のエネルギーを推力とする為、固定子の全域に永久磁石又は電磁石を必要とする。
又、一般的にその目的が可動子の位置制御や運動制御を必要とする為、可動子制御用の各種デバイスが必要となる事が普通である。
これらの諸要因から、ＤＣモータ等の他モータ動力と比べ、複雑で部品点数も多く製作コストが高い。故に本発明の目的である玩具用動力機構に適さない。【０００５】  本発明は、極力少量の部品点数で、可動子に確実な推力を与え、玩具用動力機構に適する事を目的としている。
【課題を解決するための手段】
【０００６】  上記目的を達成する為に、樹脂等で製作される長尺板状のレイル底面に一定間隔毎に電磁石（以下ソレノイドコイルとする）とリードスイッチを設置し、これを固定子とする。この時のソレノイドコイルとリードスイッチの配置位置は、ソレノイドコイルは発生する磁束方向が上面、叉はやや可動子進行方向へ向く様にし、発生する磁極は対向する可動子側の永久磁石が発生する極性と同極のものとする。又リードスイッチは可動子が固定子に設置されるソレノイドコイル通過直後に可動子側永久磁石の磁力を感知できる位置に設置する。【０００７】  ４隅にタイヤを配置したシャーシにフェライト等の永久磁石を設置し、これを可動子とする。この時、永久磁石が発生する磁束は下面、叉はやや後方へ向く様にし、その発生磁極は、固定子側ソレノイドコイルが発生する磁極と同極のものとする。
【発明の効果】
【０００８】  本発明は、以上説明したように構成されているので、以下に記載されるような効果を奏する。【０００９】  非常に少ない部品点数で、リニアモータが実現できる。【００１０】  可動子側の動力は安価なフェライト等の永久磁石のみで良く、低コスト化と小型化ができ、複雑な内部機構が存在しない為、可動子自体の意匠造型の自由度が高い。
又、加減速等の歯車といった機械機構が存在せず、耐久性が極めて高い。【００１１】  固定子コイルへの印加は、固定子側リードスイッチへの可動子の接近により自動的に行われ、各種制御デバイスを必要とせず、又非接触な為、耐久性、信頼性が高い。
【発明を実施するための最良の形態】
【００１２】  図３に於いて示されるシャーシ２に、永久磁石３と車軸９／車輪８を設け、これを可動子とする。【００１３】  車輪８は、走行時の転がり抵抗を低減する為に、必要に応じ図４で示すリブ１０を設ける。又、必要に応じ、面取り１１を設ける。【００１４】  図１に於いて示される樹脂等にて製作される長尺板状のレイル１内部に、図２で示すように、ソレノイドコイル６を一定間隔を有し設け、又各ソレノイドコイル６毎にリードスイッチ７を設置する。
この時、ソレノイドコイル６が上面へ発生する磁力極性は、対面する可動子側永久磁石３の下面磁力極性と同極のものとする。【００１５】  レイル１の両側面には、可動子の脱輪を防ぐ為に、レイルガイド５を設ける。【００１６】  図５で示す様に、可動子の永久磁石３が固定子のリードスイッチ７に接近するとソレノイドコイル６に印加し、磁力を発生する。
すると、図６で示すように可動子の永久磁石３と、ソレノイドコイル６の対面する磁極が同一なので、反発磁力を得て可動子は前進する。
反発磁力による推力を得、前進した直後、図７で示す様にリードスイッチ７と可動子の永久磁石３が離れる為、ソレノイドコイル６への通電が遮断される。この時、可動子は慣性により一定量前進を続ける。
慣性により前進する可動子の永久磁石３は、次のリードスイッチ７’に接近し、ソレノイドコイル６’が印加し反発磁力を得て、加速を繰り返す。【００１７】  これまでの実験で、可動子の永久磁石３に磁束密度１２０テスラ（以下Ｔと表す）のフェライト磁石を使用し、可動子の全重量を３０ｇとし、０．３７φのＵＥＷリッツ線を３０φに６０回巻き固定子のソレノイドコイル６とし、電源４を誘起電圧６Ｖにてソレノイドコイル６より５Ｔを発生させれば確実な推力を得られる事が実証された。【００１８】  必要に応じ、ソレノイドコイル６に強磁性体のコイル芯を用いれば、より強力な磁束が得られ可動子の推力は増加する。
同様に、可動子の永久磁石３により強力な磁束を有するネオジウム等の永久磁石を用いれば、更に強力な推進力が得られる。【００１９】  リードスイッチ７は、不活性ガスをガラス管を用い密封したタイプを用いる事で、長期間の使用でも接点腐食が起こらず、耐久性、信頼性を増す事ができる。
【図面の簡単な説明】
【００２０】
【図１】全体図である。
【図２】固定子内部説明図である。
【図３】可動子説明図である。
【図４】可動子車輪部位図である。
【図５】機構説明図である。
【図６】機構説明図である。
【図７】機構説明図である。
【図８】機構説明図である。
【図９】固定子側ソレノイド部位回路図である。
【符号の説明】
【００２１】  １  レイル
２  シャーシ
３  永久磁石
４  直流電源
５  レイルガイド
６  ソレノイドコイル
７  リードスイッチ
８  車輪
９  車軸
１０  リブ
１１  面取り
【図１】
2006102405.tif 000003
【図２】
2006102405.tif 000004
【図３】
2006102405.tif 000005
【図４】
2006102405.tif 000006
【図５】
2006102405.tif 000007
【図６】
2006102405.tif 000008
【図７】
2006102405.tif 000009
【図８】
2006102405.tif 000010
【図９】
2006102405.tif 000011
(57)【要約】      （修正有）【課題】目の酷使で血液やリンパ液の流れが悪くなり、眼球周囲の筋肉が弱まり、視力が低下し、仮性近視になりやすく、このまま続けば真近視になる可能性が大きくなる点に鑑み、小型で簡単で、スタートボタンを押すだけで目の周りの筋肉を強化し、調節機能が向上し、視力回復ができる近視予防、視力回復器を提供する。【解決手段】目の周囲にあって目に関係したいくつかのツボを刺激して、目の血液やリンパ液の流れを良くし、筋肉を強くして目の調節機能を高めて、視力を回復し、又は近視を予防する。【選択図】図２
2006102406.tif 000002
【特許請求の範囲】
【請求項１】
８本指型の柱、この指型柱表面に０・５ｍｍ銅線巻く、２秒こと流れ電流方向替えＮ極、Ｓ極交替発生します；と４本ネジ山付けた横柱設けられた近視予防、視力回復器。
【請求項２】
正面目の位置にある２個四方形周囲、上下左右、斜め計１６個赤いミニランプを；また本体の両端耳近い所にイヤホン設けられた請求項１記載の近視予防、視力回復器。
【発明の詳細な説明】
【技術分野】
【０００１】本発明は、子供から大人まで近視予防、視力回復器に関する。
［背景技術］【０００２】現代社会では、テレビ、ゲームやパソコンを使うより；視力低下の子供数、年年増えてます。昔、目を冷やす、暖める又はツボマッサージなどありました。
本や雑誌にも、視力低下予防や視力回復ためツボ刺激と目のトレ−ニング方法紹介された。又は、視力回復センターあります。
［発明の開示］
［発明が解決しようとする課題］【０００３】  以上述べた、昔から伝われ方法と本や雑誌紹介した方法、子供や小中学生達理解しにくい、面倒くさい等理由で、使用してない現状てす。大人も、使用と思うでも、毎日急がしくてなかなかできない。
視力回復センターでは、近くに住む人ならいいけ度、遠い方は大変です；しかし、利用する方、時間と金銭の面も、毎日続くのが難かしいです。【０００４】  本発明は、小型で場所選べない、昼休みの時や電車の中、一回１５分程度しかも簡単で、スタートボタン押すだけ、目の周り筋肉を強化し、調節機能向上、視力回復を目的とするものである。
［課題を解決するための手段］【０００５】  そして、本発明は上記目的を達成するために８本指型柱を攅竹、晴明、瞳子瞭、四白ツボ位置に設定と；ツボ位置知らない人でも、これを正確付ければ、その４ツボ刺激することが簡単にできる。又は４本  柱の表面にゴム山つけ回転によって目の上下部分擦ると、血液やリンパ液流れ促進し、目の周り筋肉弾力回復、強化し、目の調節機能高める、さらに赤いミニランプ点滅、同時イヤホンから音声だし、目のトレ−ニング方法指示します、赤いミニランプ点滅によって正確にトレ−ニング出来ます、視力回復や近視予防できる。【０００６】  本発明は、目に簡単着用できます、小型で便利し、イヤホンから楽しい音楽流れるによって、毎日使えるし、そこで、目の疲労解決、筋肉強化、視力回復や近視予防である。
［発明の効果］【０００７】  上述したように、本発明は目の血液やリンパ液の流れを促進し、筋肉強化、視力調節機能高めるによって、近視予防可能で；視力低下の方も、少しずつ回復可能です。【０００８】  特に、今の子供や小、中学生達、視力低下、仮性近視の数年々増え、大人も視力    力低下の傾向がある；本発明、１日僅か１５分程度、場所選べない、どこても、楽しく使用によって、近視予防や健康の目維持する事がてきます。
［発明の実施するための最良の形態］【０００９】  以下、本発明の実施の形態を図１−図６に基づいて説明する。【００１０】  図においては、１Ａ、２Ａは攅竹ツボに刺激；１Ｂ、２Ｂは晴明ツボに刺激；１ｃ，２ｃは四白ツボに刺激；１Ｄ、２Ｄは瞳子瞭ツボに刺激。【００１１】  １Ｆ、２Ｆ、３Ｆ、４Ｆの４本ネジ山ついた柱を回転すると、眉の部分や頬の部分刺激、血液やリンパ液流れ促進します。【００１２】  上述、８本柱の動きはモーター１Ｋとモーター２Ｋで起動します；４本の横柱はモーター３Ｋとモーター４Ｋで起動します。【００１３】１６個の赤いミニランプ１Ｓ、２Ｓ．．．１６Ｓとイヤホン１Ｒ、２Ｒはリモコン３でコントロールします；ランプの動きはイヤホンから流れた音声の指示と合わせで入力します。【００１４】  以下、上記構成の動作を説明する、モーター１Ｋとモーター２Ｋを同時回転、１Ａ、２Ａ、１Ｂ、２Ｂ、１Ｃ、２Ｃ、１Ｄ、２Ｄ共に動く（５分）。次からモーター３Ｋとモーター４Ｋ同時回転、１Ｆ、２Ｆ、３Ｆ、４Ｆ共に回転し；眉の部分と頬の部分擦るように（５分）。最後、赤いミニランプ点滅、イヤホンから音声指示流れ、目のトレニーグを行います（５分）。
以上のように、本実施形態によれば、目の筋肉を強化させ、血液やリンパ液の流れよくなる；近視予防や視力回復効果を得られるものである。
【図面の簡単な説明】
【００１５】［図１］本発明の正面図である。
［図２］本発明の裏面図である。
［図３］本発明の上面図である。
［図４］本発明の側面図である。
［図５］本発明の正面から断面図である。
［図６］本発明の側面から断面図である。
【符号の説明】
【００１６】（１Ａ、２Ａ、１Ｂ、２Ｂ、１Ｃ、２Ｃ、１Ｄ、２Ｄ）  ツボにあて柱
（１Ｆ、２Ｆ、３Ｆ、４Ｆ）  眉と頬にあて横柱
（１Ｓ、２Ｓ．．．１６Ｓ）  赤いミニランプ
（１Ｌ）  リモコン中の充電電池
（１Ｋ、２Ｋ、３Ｋ、４Ｋ）  モーター
（１Ｘ、２Ｘ、３Ｘ）  リモコン中の動作、音声、光電子版
（１）  本体のカバー
（２）  顔面に合わせ微調整ボタン
（３）  リモコン
（４）  本体の電源スイチ
（５）  録音のスイチ
（６）  頭部に固定するベルト
（７）  顔面に易しいクッション材
【図１】
2006102406.tif 000003
【図２】
2006102406.tif 000004
【図３】
2006102406.tif 000005
【図４】
2006102406.tif 000006
【図５】
2006102406.tif 000007
【図６】
2006102406.tif 000008
(57)【要約】【課題】日常的に必需品として使用されるトイレットペーパーをその特性を活用することによって広告及び情報のインパクトある開示方法を実現する。【解決手段】トイレットペーパーの表面に連続した静止画像及び各種告知情報を捜入しトイレットペーパーを使用する際の巻き取り動作による繰り出し運動によって動画に変換される。表面に印刷された広告及び情報告知はこの動きに伴って、視覚に強く訴えることが可能になりよりインパクトの強い効果を発揮できる。【選択図】図１
2006102409.tif 000002
【特許請求の範囲】
【請求項１】
トイレの便座の近傍に設けられたホルダーに挿架されたトイレットペーパーに連続模様によって記載された情報を、トイレットペーパーの繰り出し操作時に動画的に表示することが可能なトイレットペーパー。
【請求項２】
前記情報は、広告情報又は告知情報の少なくとも１種類であることを備えていることを特徴とする請求項１記載のトイレットペーパー。
【請求項３】
用紙総全長の如何にかかわらず用紙面積の全部を使用して広告情報又は告知情報の掲載をすることを特徴とする請求項１記載のトイレットペーパー。
【発明の詳細な説明】
【技術分野】
【０００１】  本発明は、水洗式及び浄化槽式一般トイレ全般に使用される紙巻式トイレットペーパー（ロール状）においてそれを利用する全ての人々に繰り返し告知する事の出来る情報開示方法である。【０００２】  私的あるいは公共の施設において、トイレは欠くべからざるものであり、またそれを利用する時間においてあらゆる人々の耳目感覚に訴える場所である。【０００３】  故に、これらの場所に設置されたトイレットペーパーに広告情報や告知情報を開示せしめれば、不特定多数の人々に効果的な情報開示が可能であると期待される。このような観点から、トイレットペーパーに広告等を表示する種々の提案がなされている。
具体的には、トイレットペーパーの裏面に各種広告情報を掲載し、広告表示を行うことが開示されている（例えば、特許文献１参照。）。
【特許文献１】  登録実用新案第３０２８１０３号公報。
【発明の開示】
【発明が解決しようとする課題】
【０００４】  しかしながら、特許文献１に記載されたものは、トイレットペーパーの裏側に広告表示がなされており、通常の使用では人々の視覚に直接訴えることが不可能である。【０００５】  また、特許文献１に記載されたものは、広告表示部分にトイレットペーパーのロール形状を利用した工夫がなされておらず、使用する際の視覚効果においては、著しく不具合が生じる物である。
【課題を解決するための手段】
【０００６】  本発明は、このような従来技術の有する欠点を解消するために提案されたものである。すなわち本発明は、トイレットペーパーのロール形状の特性を生かして広告情報及び広告情報を連続して動画が順番に現れてくるように印刷することにより人々に対してのインパクトのある表示を行い得るトイレットペーパーを提供することが出来る特徴を有する。
【発明の効果】
【０００７】  上述したように本発明によるトイレットペーパーは、従前より無味乾操であったトイレ空間に視覚的潤いをあたえる媒体となり得る。
また、その反復効果により広告表示、情報表示の伝達がより使用者の意識に入り込むことが期待される。【０００８】  このことは、従来媒体では考えられなかった広告及び情報の露出効果を高めることができ、その費用対効果を良好に促進することが出来る。
【発明を完施するための最良の形態】
【０００９】  以下、本発明を適用した情報開示方法、実施の形態について図１から図４を参照して説明する。
【００１０】  トイレ（図示しない）の所定の箇所であって便座の近傍に固定されたホルダー（１）にはトイレットペーパー（２）が挿架されている。このトイレットペーパー（２）には広告・情報（４）が記載されている。
（３）はトイレットペーパーに対する広告及び情報の１単位であり左右幅は、トイレットペーパー各々のサイズとし、天地幅は１２０センチメートルあるいは切り取りミシン目とミシン目の間隔長さの６倍と定め、その幅・その長さの中に１単位の広告・情報が入るものである。
【００１１】  この広告・情報（４）は、トイレットペーパー（２）を繰り出す操作をすると動画的表示をすることが特徴である。動画的表示をさらに述べるとトイレットペーパーに印刷された各絵が同一のものではなく、また脈絡がないものでもなく、例えば動きを少しずつずらして記載されていて、トイレットペーパーを繰り出す操作をすると動画的表示をすることが特徴である。
【００１２】  図３で示されるように、動画の最終項に商品名・企業名・メッセージ及びＵＲＬ等の広告及び情報が挿入され、一つの媒体として成立している。
また、図３で示されるように連続して絵柄、ロゴタイプ、商品情報、連絡先等を告知できることが特徴の媒体である。
【００１３】  前述の回転する動作をする１単位は、通常使用されるトイレットペーパーの１使用分を鑑みて考案されることによって、複数回の使用による繰り返しの広告及び情報周知徹底をより強力なものにしている。
【００１４】  また本発明の情報開示方法は、図２で示すように、印刷１範囲を１２０センチメートルとすると、１ロール６０メートルに対して５０回という媒体の特性を生かした反復視覚効果が期待できるものである。
さらに印刷１範囲１２０センチメートルの中で、トイレットペーパーを巻き取りの動きに同調させて動いてゆく広告表示、情報表示様式を取り入れることにより、強力な視覚的インパクトを提供することが出来る。
【００１５】  本発明は、図１から４で示されるようにトイレットペーパーの表面に印刷加工されていることが特徴であり、その効果として常時使用者の視覚に訴えることが出来るものである。
【図面の簡単な説明】
【００１６】
【図１】本発明のトイレットペーパーをホルダーに挿架した図。
【図２】本発明のトイレットペーパーの全体幅・長さに対する広告及び情報の１単位を示す図。
【図３】繰り出し動作に併って静止画が動画になるように印刷されたトイレットペーパーの印刷の一実施例を示す図。
【図４】本発明の他の実施例示す図。
【符号の説明】
【００１７】１：ホルダー
２：トイレットペーパー
３：情報告知寸法の１単位
４：静止画
５：広告及び情報、ロゴタイプ、商品及び案内情報
【図１】
2006102409.tif 000003
【図２】
2006102409.tif 000004
【図３】
2006102409.tif 000005
【図４】
2006102409.tif 000006